(57)【要約】【課題】レンズ鏡筒の外径にかかわらず使用可能なアクセサリ連結装置を提供する。【解決手段】本発明のアクセサリ連結装置１，２００，３００は、円環部１０と、一端が前記円環部１０の内径側に揺動可能に支持され、他端にはレンズ鏡筒２に固定するレンズ固定部２１が揺動可能に取り付けられている少なくとも３つの支持腕部２０と、を備えること、を特徴とする。【選択図】図１
2015040909.tif 000002
【特許請求の範囲】
【請求項１】
円環部と、
一端が前記円環部の内径側に揺動可能に支持され、他端にはレンズ鏡筒に固定するレンズ固定部が揺動可能に取り付けられている少なくとも３つの支持腕部と、を備えること、
を特徴とするアクセサリ連結装置。
【請求項２】
請求項１に記載のアクセサリ連結装置であって、
前記支持腕部は、前記円環部と同一直径の円環部から切り出した円弧状に湾曲していること、
を特徴とするアクセサリ連結装置。
【請求項３】
請求項１または２に記載のアクセサリ連結装置であって、
前記円環部の外周には、ギア歯が設けられていること、
を特徴とするアクセサリ連結装置。
【請求項４】
請求項１から３のいずれか１項に記載のアクセサリ連結装置であって、
前記円環部の外周にアクセサリシューを備えたこと、
を特徴とするアクセサリ連結装置。
【請求項５】
請求項１から４のいずれか１項に記載のアクセサリ連結装置であって、
前記円環部を、所定の固定部に対して該円環部の径方向に移動可能な位置調節部を有すること、
を特徴とするアクセサリ連結装置。
【発明の詳細な説明】
【技術分野】
【０００１】
本発明は、アクセサリ連結装置に関するものである。
【背景技術】
【０００２】
従来、ピントリングの外周にギアが設けられたレンズ鏡筒と、回転用ハンドル及びそのハンドルとギアとを連結させる連結部材を備えるアクセサリと、を備えるカメラシステムがある。このカメラシステムは、そのアクセサリをレンズ鏡筒に取り付け、回転用ハンドルを回してピントリングを回転させることで、フォーカス動作を容易に行うことができる（特許文献１参照）。
【先行技術文献】
【特許文献】
【０００３】
【特許文献１】特開２０１１−２７８２６号公報
【発明の概要】
【発明が解決しようとする課題】
【０００４】
しかし、上記従来技術は、外径が異なるレンズ鏡筒に対して、共通のアクセサリを使用することができない。また、共通のアクセサリを外径が異なるレンズ鏡筒で使用する場合、大きさや構造の違いを吸収するアタッチメントが必要となる。
このため、使い方が煩雑になったり、セットで購入する必要があったりするため、コストがかかる。
一方、多数の交換レンズ間で共通のアタッチメントを使うためにレンズ鏡筒の外径を共通化すると、最も大型のレンズ鏡筒に合わせた外径に全てのレンズ鏡筒をあわせなくてはならず、レンズ鏡筒の小型化できない。
【０００５】
本発明の課題は、レンズ鏡筒の外径にかかわらず使用可能なアクセサリ連結装置を提供することである。
【課題を解決するための手段】
【０００６】
本発明は、以下のような解決手段により前記課題を解決する。
請求項１に記載の発明は、円環部と、一端が前記円環部の内径側に揺動可能に支持され、他端にはレンズ鏡筒に固定するレンズ固定部が揺動可能に取り付けられている少なくとも３つの支持腕部と、を備えること、を特徴とするアクセサリ連結装置である。
請求項２に記載の発明は、請求項１に記載のアクセサリ連結装置であって、前記支持腕部は、前記円環部と同一直径の円環部から切り出した円弧状に湾曲していること、を特徴とするアクセサリ連結装置である。
請求項３に記載の発明は、請求項１または２に記載のアクセサリ連結装置であって、前記円環部の外周には、ギア歯が設けられていること、を特徴とするアクセサリ連結装置である。
請求項４に記載の発明は、請求項１から３のいずれか１項に記載のアクセサリ連結装置であって、前記円環部の外周にアクセサリシューを備えたこと、を特徴とするアクセサリ連結装置である。
請求項５に記載の発明は、請求項１から４のいずれか１項に記載のアクセサリ連結装置であって、前記円環部を、所定の固定部に対して該円環部の径方向に移動可能な位置調節部を有すること、を特徴とするアクセサリ連結装置である。
【発明の効果】
【０００７】
本発明によれば、レンズ鏡筒の外径にかかわらず使用可能なアクセサリ連結装置を提供することができる。
【図面の簡単な説明】
【０００８】
【図１】第１実施形態のアクセサリ連結装置を装着したレンズ鏡筒及びカメラの概略斜視図である。
【図２】レンズ鏡筒のピントリング部分の光軸方向に沿った部分断面図であり、（ａ）は、アクセサリ連結装置を装着しない状態、（ｂ）はアクセサリ連結装置を装着した状態を示す。
【図３】異なる径のレンズ鏡筒に本実施形態のアクセサリ連結装置を、細いレンズ鏡筒（ａ）、中程度の太さのレンズ鏡筒（ｂ）、保持可能最大径のレンズ鏡筒（ｃ）、に取り付けた状態を示した図である。
【図４】第２実施形態のアクセサリ連結装置の斜視図である。
【図５】第３実施形態のアクセサリ連結装置の部分斜視図である。
【図６】第３実施形態のアクセサリ連結装置をレンズ鏡筒の外周に装着し、アクセサリ連結装置を介してレンズ鏡筒を固定台に保持した例を示した例である。
【発明を実施するための形態】
【０００９】
(第１実施形態)
以下、図面等を参照して、本発明の第１実施形態について説明する。図１は、本実施形態のアクセサリ連結装置１を装着したレンズ鏡筒２及び、該レンズ鏡筒２が着脱可能なカメラ３の概略斜視図である。
【００１０】
アクセサリ連結装置１は、図示するように、内部にレンズ鏡筒２を貫通させた状態でレンズ鏡筒２に固定して使用するものである。
アクセサリ連結装置１は、円環部１０と、円環部１０の内径側に取り付けられた３つの支持腕部２０と、を備える。
【００１１】
円環部１０は、該円環部１０の中心軸Ｏに沿った方向(レンズ鏡筒２に装着時においてレンズ鏡筒２の光軸ＯＡの方向と一致する方向)に一定の幅を有する円筒部分１１と、円筒部分１１における中心軸Ｏ方向の一方と他方とに取り付けられ、円筒部分１１の縁部から径方向内側に一定の幅で延びる円環部状の前環部分１２と後環部分１３とを有する。
【００１２】
円筒部分１１の外面には、第１斜歯ギア１４が形成されている。また、周方向の均等な３箇所に、矩形の開口部１５が設けられている。
【００１３】
支持腕部２０は、その短手方向の幅が、円筒部分１１の幅よりわずかに狭い。本実施形態で支持腕部２０の数は３であるので、支持腕部２０の長手方向の長さは、その先端に取り付けられた後述のレンズ固定部２１と合わせて、円環部１０の円周の１／３以下である。
支持腕部２０の長手方向は、円環部１０に沿ってカーブしている。このカーブにより支持腕部２０は、円筒部分１１の内面に接触するようにして、円筒部分１１と前環部分１２と後環部分１３とで形成される円環部１０の内径側のコの字型の空間に収納可能である。
【００１４】
支持腕部２０の基端には、中心軸Ｏ方向に沿って貫通穴２２が設けられている。貫通穴２２には固定軸２３が挿入されている。固定軸２３の一端は前環部分１２、他端は後環部分１３に固定されることで、支持腕部２０は円環部１０に揺動可能に取り付けられている。
【００１５】
支持腕部２０の先端には、上述のように、レンズ固定部２１が取り付けられている。レンズ固定部２１は略矩形部材であり、中央部には径方向に開口したねじ用穴２４が設けられている。
【００１６】
支持腕部２０の側端部には中心軸Ｏ方向に沿って貫通穴２５が設けられている。
一方、支持腕部２０の先端は、中央部がレンズ固定部２１の幅に対応して切り欠かれた切り欠き部２６が形成されている。その切り欠き部２６を挟んだ中心軸Ｏ方向の前部と後部とには、レンズ固定部２１を保持する突部２７が設けられている。
これらの前部と後部の突部２７と、レンズ固定部２１の貫通穴２５とを通して固定軸２８が挿入されることで、レンズ固定部２１が支持腕部２０に対して揺動可能に保持される。
【００１７】
支持腕部２０の数は、上述のように本実施形態では３であるが、これに限定されない。しかし、２では安定さを欠くため、最低３以上が好ましく、若干複雑にはなるが４点固定でもよい。
【００１８】
レンズ鏡筒２はピントリング４０を備え、本実施形態のアクセサリ連結装置１はピントリング４０の外周に取り付けられる。図２はレンズ鏡筒２のピントリング４０部分の光軸方向に沿った部分断面図であり、（ａ）は、アクセサリ連結装置１を装着しない状態、（ｂ）はアクセサリ連結装置１を装着した状態を示す。
【００１９】
図示するように、本実施形態のピントリング４０には、ねじ穴４１が設けられている。ねじ穴４１は、アクセサリ連結装置１のレンズ固定部２１のねじ用穴２４に対応し、ピントリング４０の外周の３箇所に設けられている。
【００２０】
アクセサリ連結装置１を装着しない状態においてピントリング４０の外周は、滑り止めのためのゴムローレット４２で覆われている（図３(ａ)）。
ゴムローレット４２はゴム製のため柔軟性があり、着脱が可能である。そこで、アクセサリ連結装置１を装着する場合、ゴムローレット４２を取り外し、ピントリング４０に設けられたねじ穴４１とアクセサリ連結装置１のレンズ固定部２１のねじ用穴２４との位置を合わせて、固定ねじ４３をねじ込む。これによりレンズ固定部２１、すなわちアクセサリ連結装置１がレンズ鏡筒２に固定される。
【００２１】
この際、固定ねじ４３のねじ込みは、円筒部分１１に開口部１５が設けられているため、この開口部１５からドライバ等を挿入して行うことができる。ただし、これに限定されず、指等によって固定ねじ４３を回転してもよい。
【００２２】
このように、ピントリング４０表面の、ゴムローレット４２によって隠れる部分にねじ穴４１を設けることにより、通常使用状態では一般のレンズと何ら変わらず、ピントリング４０を外部から機械的に操作したい場合のみ、本実施形態のアクセサリ連結装置１を装着することができる。
また、固定機構はねじ穴３つで済むため、コストアップも最小限に抑えられる。
【００２３】
図３は、異なる径のレンズ鏡筒２Ａ，２Ｂ，２Ｃに本実施形態のアクセサリ連結装置１を取り付けた図を示したものである。（ｂ）のレンズ鏡筒２は（ａ）より太い。（ｃ）のレンズ鏡筒２は（ｂ）よりも太く、本実施形態のアクセサリ連結装置１が取り付けられる最大径のレンズ鏡筒２にアクセサリ連結装置１を装着した状態を示す。
【００２４】
アクセサリ連結装置１をレンズ鏡筒２に装着する際、図１及び図３に示すように、まず、アクセサリ連結装置１の中にレンズ鏡筒２を挿通させる。
そして、レンズ鏡筒２のピントリング４０の外周に設けられたねじ穴４１とレンズ固定部２１のねじ用穴２４とを一致させて固定ねじ４３を螺合させる。
【００２５】
ここで、図３(ｂ)に示すように、アクセサリ連結装置１の径よりもレンズ鏡筒２Ｂの径が小さい場合、支持腕部２０は円筒部分１１に対して所定の角度θｂで保持される。
図３（ａ）のように、レンズ鏡筒２Ａの径が（ｂ）のレンズ鏡筒２Ｂの径よりもさらに小さい場合、支持腕部２０の円筒部分１１に対する角度θａは角度θｂよりも大きくなる。
【００２６】
図３（ｃ）は、取付可能な最大径のレンズ鏡筒２Ｃにアクセサリ連結装置１に取り付けた状態を示した図である。この場合、支持腕部２０の円筒部分１１に対する角度θｃはゼロとなる。
このように、アクセサリ連結装置１内部に、余分な空間を有することなく、効率よく最大径のレンズ鏡筒２を保持することができる。
【００２７】
図１に戻り、本実施形態では、アクセサリ連結装置１の外周に第１斜歯ギア１４が設けられている。
一方、図１の符号５０は、このアクセサリ連結装置１に対応するアクセサリとしてのピントリング回転装置である。
図示するようにピントリング回転装置５０は、カメラ３を配置可能なスペースを有する台座５６に、アクセサリ連結装置１の第１斜歯ギア１４と噛合するギア列５１が配置されたものである。
【００２８】
ギア列５１は、アクセサリ連結装置１の第１斜歯ギア１４と噛合する第２第１斜歯ギア５２と、その第２第１斜歯ギア５２と一体の第１曲り歯傘ギア５３と、第１曲り歯傘ギア５３と噛合する第２曲り歯傘ギア５４と、第２曲り歯傘ギア５４と一体の回転ノブ５５とを備える。
【００２９】
第２第１斜歯ギア５２と第１曲り歯傘ギア５３とは一体で、同軸で回転可能に台座５６に支持されている。第２曲り歯傘ギア５４と回転ノブ５５とも一体で、同軸で回転可能に台座５６に支持されている。
【００３０】
本実施形態において、まず、カメラ３に装着されたレンズ鏡筒２の外周にアクセサリ連結装置１を装着する。
そして、アクセサリ連結装置１が装着されたカメラ３を、アクセサリ連結装置１の第１斜歯ギア１４と第２第１斜歯ギア５２とが噛合するようにしてピントリング回転装置５０に配置して固定する。
固定方法は、これに限定されるものではないが、例えば台座５６の裏側から表側に向かうねじを設け、そのねじをカメラの三脚取り付け用のねじ穴に螺合させる。
【００３１】
このように、第１斜歯ギア１４と第２第１斜歯ギア５２とが噛合するようにして、台座５６に、カメラ３、レンズ鏡筒２及びアクセサリ連結装置１が配置された状態で、回転ノブ５５を回転する。そうすると、第２曲り歯傘ギア５４も共に回転し、その回転により第１曲り歯傘ギア５３が回転され、第１曲り歯傘ギア５３の回転に伴って第２第１斜歯ギア５２が回転し、その回転により第１斜歯ギア１４が回転する。
これによって、アクセサリ連結装置１が回転し、支持腕部２０によってアクセサリ連結装置１と連結されたピントリング４０が回転する。
本実施形態ではピントリング４０を例として説明しているが、これに限定されず、ズームリングや絞り（アイリス）リングであってよい。
【００３２】
以上、本実施形態のアクセサリ連結装置１は、支持腕部２０の装着角度によって種々の太さのレンズ鏡筒２に装着可能である。したがってレンズ鏡筒２ごとに異なるアクセサリ連結装置１を用意する必要がない。
【００３３】
レンズ鏡筒の径が異なっても、本実施形態では同一のアクセサリ連結装置１を用いることができ、そのアクセサリ連結装置１と、種々のアクセサリ（ピント調整機構、ズーム調整機構、遮光装置、など）とを連結することができる。
一旦アクセサリ連結装置１とアクセサリとの位置調節を行えば、レンズ鏡筒２ごとに装着位置を調整する必要がない。
したがって、各レンズ鏡筒２に合わせた専用アタッチメントを用意する必要もなく、効率的にカメラアクセサリを支持する機構を構築することができる。
【００３４】
本実施形態によると、ピントリング回転装置５０の回転ノブ５５を回転することで、レンズ鏡筒側のピントリング４０を回転させることができる。
【００３５】
また、本実施形態では、支持腕部２０がアクセサリ連結装置１と同一の円環部から切り出した円弧からなる形状である。このため、図３（ｃ）のように支持腕部２０を収納するための余計な空間を必要とせず、アクセサリ連結装置１の内径と略同一の外径を有するレンズ鏡筒２Ｃまで収納可能である。
このように、アクセサリ連結装置１内部に、余分な空間を有することなくレンズ鏡筒２が保持可能なため、スペース効率が良い。
【００３６】
（第２実施形態）
図４は、本発明の第２実施形態のアクセサリ連結装置１００の斜視図である。なお、第１実施形態と同様な部分には同一の符号を付し、その説明を省略する。
第２実施形態のアクセサリ連結装置１００が第１実施形態のアクセサリ連結装置１と異なる点は、円環部１０の円筒部分１１の外周にギア１４が設けられておらず、替わりに２つのアクセサリシュー１１４ａ，１１４ｂが設けられている点である。なお、円筒部分１１の外周に設けられているものは、アクセサリシューに限らず、他のアクセサリ装着部、例えばバヨネット機構等であってもよい。
【００３７】
アクセサリシュー１１４ａ，１１４ｂに例えば外付け発光装置１５０ａや外付けマイク１５０ｂ等のアクセサリを取り付けることができる。これらのアクセサリ１５０ａ，１５０ｂは、カメラ３と例えば無線により通信可能であり、カメラ３から送信されたコマンドによって発光したり、録音開始したりすることができる。
【００３８】
本実施形態においても、第１実施形態と同様に、アクセサリ連結装置１００は、支持腕部２０の装着角度によって種々の太さのレンズ鏡筒２に装着可能である。したがってレンズ鏡筒２ごとに異なるアクセサリ連結装置１を用意する必要がない。
そして、レンズ鏡筒２の径によらず同一形状のアクセサリを装着できるので、アクセサリの形状設計が容易になる。
また、図示しないが、円環部状の照明装置を装着する場合などは、鏡筒径に合わせていくつものアタッチメントを用意する必要がなくなる。
【００３９】
(第３実施形態）
図５は本発明の第３実施形態のアクセサリ連結装置２００の部分斜視図である。図６は本実施形態のアクセサリ連結装置２００を２つレンズ鏡筒の外周に装着し、カメラを固定している固定台にアクセサリ連結装置２００を介してレンズ鏡筒を保持した例を示した使用例である。なお、第１実施形態と同様な部分には同一の符号を付し、その説明を省略する。
【００４０】
本実施形態のアクセサリ連結装置２００において、円環部１０は第２実施形態と同様の構成でもよく、また、アクセサリシューを設けない構成であってもよい。
本実施形態のアクセサリ連結装置２００は、円環部１０の下部に、保持台２０１を有する。
【００４１】
保持台２０１は、上部保持台２０２と、下部保持台２０３と、その下部保持台２０３に対する上部保持台２０２の高さを調節する位置調節部材２０６とを備える。上部保持台２０２の上側(中心軸Ｏ側)には、円環部１０が固定されている。
上部保持台２０２及び下部保持台２０３は、本実施形態において中心軸Ｏ方向の幅が略同一で且つ中心軸Ｏと垂直な長さも略同一である。
【００４２】
上部保持台２０２及び下部保持台２０３は、円環部１０の中心軸Ｏに沿った方向に貫通し且つ開口の長さ方向が中心軸Ｏに対して垂直な方向に延びている開口部(上部開口部２０４，下部開口部２０５）がそれぞれ設けられている。上部開口部２０４，下部開口部２０５は本実施形態において略同一の形状の開口部である。
【００４３】
位置調節部材２０６は、互いに同形の２枚の長板部材２０８，２０９と、それらの長板部材２０８，２０９の対向する面の両端にそれぞれ取り付けられた合計４つの円柱状部材と、を備える。
４つの円柱状部材も同形で、開口部２０４，２０５の深さ方向と略同一の長さである。
【００４４】
そして、一方の長板部材２０７は、中心軸Ｏ方向の一方側から、一端(上端)の円柱状部材を上部開口部２０４に挿入し、他端の円柱状部材を下部開口部２０５に挿入している。
また、他方の長板部材２０８は、中心軸Ｏ方向の他方側から、一端の円柱状部材を上部開口部２０４に挿入し、他端の円柱状部材を下部開口部２０５に挿入している。
そして、２つの長板部材２０７，２０８は、円柱状部材が取り付けられている面を対面させて、中央を軸部によって互いに回転可能に連結されている。
【００４５】
それぞれの円柱状部材のうちの、上部開口部２０４に挿入されている円柱状部材は、上部開口部２０４の長さ方向に沿ってねじ穴２１０が設けられている。
そして、それらのねじ穴２１０を貫通するように、上部保持台２０２には、中心軸Ｏと直交する方向に、細長ねじ２１１が貫通されている。細長ねじ２１１の両端には、回転部２１２が設けられている。
【００４６】
また、細長ねじ２１１は、中央部において逆向きにねじ切りされている。すなわち、回転部２１２により細長ねじ２１１を一方に回転させると、円柱状部材は互いに近づく方向に移動し、他方に回転させると、円柱状部材は互いに離れる方向に移動する。
これにより、回転部２１２を一方に回転させると、上部保持台２０２は下部保持台２０３に対して近づく方向、すなわち上部保持台２０２が下側に移動する。
また、回転部２１２を他方に回転させると、上部保持台２０２が下部保持台２０３に対して遠ざかる方向、すなわち上部保持台２０２が上側に移動する。
このように、回転部２１２を回転することにより長板部材２０７，２０８の交差角度を変え、下部保持台２０３に対する円環部１０の位置、すなわちレンズ鏡筒２の位置を調整することができる。
【００４７】
図６は、第３実施形態のアクセサリ連結装置をレンズ鏡筒の外周に装着し、アクセサリ連結装置を介してレンズ鏡筒を三脚のついた固定台３００に保持した例を示した例である。
まず、第３実施形態のアクセサリ連結装置２００が２つ取り付けられたレンズ鏡筒２が装着されたカメラ３を、固定台３００上に配置する。
【００４８】
そして、２つのアクセサリ連結装置２００における、それぞれの位置調節部材２０６を調節して、位置調節部材２０６の下部保持台２０３の下面が固定台３００の上面に接触し、レンズ鏡筒２の重さをアクセサリ連結装置２００を介して固定台３００で受けるようにする。
特に大口径の重いレンズ鏡筒の場合、レンズ鏡筒を支えないと撮影時に不安定になる場合があるが、本実施形態によると、重いレンズであってもその加重を固定台３００によって受けることができるので、安定してレンズ鏡筒を保持することができる。
【００４９】
以上、説明した実施形態に限定されることなく、以下に示すような種々の変形や変更が可能であり、それらも本発明の範囲内である。
【符号の説明】
【００５０】
１，２００，３００：アクセサリ連結装置、２：レンズ鏡筒、３：カメラ、１０：円環部、１１：円筒部分、１２：前環部分、１３：後環部分、１４：第１斜歯ギア、１５：開口部、２０：支持腕部、２１：レンズ固定部、４０：ピントリング、２０１：保持台、２０２：上部保持台、２０３：下部保持台、２０６：位置調節部材、３００：固定台
【図１】
2015040909.tif 000003
【図２】
2015040909.tif 000004
【図３】
2015040909.tif 000005
【図４】
2015040909.tif 000006
【図５】
2015040909.tif 000007
【図６】
2015040909.tif 000008